(57)【要約】【課題】誘導路を転動する遊技球を視認可能とすることで、遊技の興趣を高めることができるようする。【解決手段】  遊技球が流下可能な遊技領域４ａを形成した遊技盤４に、遊技領域４ａを流下する遊技球を所定の方向へ誘導する誘導路５０とを備えた弾球遊技機１において、誘導路５０は、螺旋状に形成されると共に、入球した遊技球を下方へ向けて誘導し、転動する遊技球を視認可能となるように、螺旋状の中心側にある内側面５０ａ及び外側にある外側面５０ｂと、両側面５０ａ、５０ｂの下端同士を連結する底面５０ｃとからなる樋状であって、外側面５０ｂに、遊技球の上流から下流へ移動する減速部５３を設ける。【選択図】  図４
2015181923.tif 000002
【特許請求の範囲】
【請求項１】
遊技球が流下可能な遊技領域を形成した遊技盤に、前記遊技領域を流下する遊技球を所定の方向へ誘導する誘導路とを備えた弾球遊技機において、
前記誘導路は、螺旋状に形成されると共に、入球した遊技球を下方へ向けて誘導し、転動する遊技球を視認可能となるように、螺旋状の中心側にある内側面及び外側にある外側面と、当該両側面の下端同士を連結する底面とからなる樋状であって、
前記外側面に、遊技球の上流から下流へ移動する転動速度を減速させるための減速部を設けたことを特徴とする弾球遊技機。
【請求項２】
前記減速部は、前記外側面に形成される突条部であって、前記遊技盤の前側から見て、前記誘導路の後半分に設けたことを特徴とする請求項１に記載の弾球遊技機
【請求項３】
前記誘導路は、透明部材によって形成され、前記内側面と前記突条部の先端との間隔を遊技球の直径よりわずかに大とすることを特徴とする請求項１または２に記載の弾球遊技機。
【請求項４】
前記誘導路の下流部分には、入球した遊技球を前記遊技盤の裏側へ排出する排出口を設け、
当該排出口の手前における前記外側面に、外側へ延伸し、遊技球が前記誘導路から脱落することを防止するための脱落防止庇部を設けたことを特徴とする請求項１〜３に記載の弾球遊技機。
【発明の詳細な説明】
【技術分野】
【０００１】
本発明は、パチンコ機等の遊技機に係わり、特には遊技球を誘導する誘導路を備えた弾球遊技機に関する。
【背景技術】
【０００２】
従来、弾球遊技機等においては、遊技領域に打ち込まれた遊技球を所定の形状を有する誘導路を転動させることで、遊技の興趣を高めるようにしたものがある。
【０００３】
例えば、特許文献１に記載の弾球遊技機（特許文献１では「パチンコ遊技機」）においては、不透明の螺旋状の誘導路（同じく「球通路」）を移動する遊技球（同じく「パチンコ球」）が、誘導路内に設けた導電性部材に接触することでランプ等の報知手段を点灯させ、遊技者に遊技球が誘導路を転動する転動態様を認識させるようにしている。
【先行技術文献】
【特許文献】
【０００４】
【特許文献１】特開２００５−３４９１１５号公報
【発明の概要】
【発明が解決しようとする課題】
【０００５】
しかしながら、特許文献１に記載された弾球遊技機においては、新たな趣向を凝らした演出を行う弾球遊技機等が次々と登場している今日にあっては、遊技球の転動態様を視認不能な螺旋状の誘導路に、導電性部材を設けることで遊技球の転動態様を報知する方法では、もはや遊技者を惹きつけることが難しいのが実情である。
【０００６】
本発明は、かかる課題に鑑みなされたものであって、誘導路を転動する遊技球を視認可能とすることで、遊技の興趣を高めることができるようにした弾球遊技機を提供することを目的とする。
【課題を解決するための手段】
【０００７】
本発明によると、上記課題は、次のようにして解決される。
第１の発明は、遊技球が流下可能な遊技領域を形成した遊技盤に、前記遊技領域を流下する遊技球を所定の方向へ誘導する誘導路とを備えた弾球遊技機において、前記誘導路は、螺旋状に形成されると共に、入球した遊技球を下方へ向けて誘導し、転動する遊技球を視認可能となるように、螺旋状の中心側にある内側面及び外側にある外側面と、当該両側面の下端同士を連結する底面とからなる樋状であって、前記外側面に、遊技球の上流から下流へ移動する転動速度を減速させるための減速部を設ける。
【０００８】
第１の発明により、誘導路が樋状であって、誘導路を転動する遊技球を視認可能とし、さらに遊技球の転動速度を減速させるための減速部を設けることで、誘導路を転動する遊技球を確認することが容易となり、遊技の興趣を高めることができる。
【０００９】
第２の発明は、第１の発明において、前記減速部は、前記外側面に形成される突条部であって、前記遊技盤の前側から見て、前記誘導路の後半分に設ける。
【００１０】
第３の発明は、第１または２の発明において、前記誘導路は、透明部材によって形成され、前記内側面と前記突条部の先端との間隔を遊技球の直径よりわずかに大とする。
【００１１】
第４の発明は、第１〜３の発明において、前記誘導路の下流部分には、入球した遊技球を前記遊技盤の裏側へ排出する排出口を設け、当該排出口の手前における前記外側面に、外側へ延伸し、遊技球が前記誘導路から脱落することを防止するための脱落防止庇部を設ける。
【発明の効果】
【００１２】
本発明によると、誘導路を転動する遊技球を視認可能とすることで、遊技者を惹きつけることができる。
【図面の簡単な説明】
【００１３】
【図１】本発明に係る弾球遊技機の斜め前方から見た斜視図である。
【図２】同じく弾球遊技機における遊技盤の正面図である。
【図３】同じく要部の正面図である。
【図４】同じく斜め前方から見た要部の拡大斜視図である。
【図５】要部の拡大平面図である。
【図６】図５におけるＶＩ―ＶＩ線縦断面図である。
【発明を実施するための形態】
【００１４】
以下、本発明を実施するための一実施形態を、添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１５】
なお、以下の説明において弾球遊技機１の各部の左右方向は、その弾球遊技機１の正面に対面する者にとっての左右方向に合わせて説明する。
【００１６】
（弾球遊技機１の全体構造）
図１に示すように、弾球遊技機１は、遊技場の島設備に設置される矩形枠状の外枠２と、外枠２の左枠部に蝶番（図示略）により垂直軸回りに開閉自在に取り付けられる内枠３と、内枠３に装着され、各種要素が組み付けられる遊技盤４（図２参照）と、遊技盤４の前側にあって、内枠３の左枠部に上下の蝶番（図示略）により垂直軸回りに開閉自在に取り付けられ、遊技盤４の前面を閉塞し、遊技者が透視し得る透明な板であるガラス板５ａを嵌め込んだガラス枠５と、遊技盤４の後側に設けられ賞球や貸球等の遊技球を払出可能な払出装置（図示略）と、ガラス枠５の下部に設けられ、払出装置から払い出される遊技球を貯留するための上受皿部６と、ガラス枠５の下部裏側に設けられ上受皿部６に貯留されている遊技球を導入して遊技盤４の前面に形成される遊技領域４ａへ向けて発射するための発射装置（図示略）と、上受皿部６に遊技球が満杯になった際、溢れ球を導入可能な下受皿部７と、ガラス枠５の前面右下部に設けられ上受皿部６に貯留された遊技球を遊技領域４ａへ打ち出す際に操作される発射ハンドル８と、ガラス枠５の上部に設けられ遊技状況に応じた効果音を出力するスピーカ９Ｌ、９Ｒと、ガラス枠５の前側に設けられ遊技状況に応じて点灯、消灯及び点滅する照明演出を行う電飾装置（図示略）と、遊技盤４の後側に設置される表示装置１０（図２参照）と、遊技盤４の裏側に設置され、遊技進行及び遊技演出を制御するためのマイクロコンピュータにより構成される各種制御装置（図示略）等を備える。
なお、制御装置は、弾球遊技機１を統括して制御（大当たり抽選を含む）する主制御装置と、演出に係る制御（演出抽選を含む）を行う副制御装置とに分けて設けるようにしてもよい。
【００１７】
表示装置１０は、例えば液晶ディスプレイから構成され、ガラス板５ａを透して遊技者が視認可能な表示画面１０１（図２参照）に遊技に係わる情報である各種キャラクタや左列、中列、右列の３列の数字等で構成される演出図柄を変動、停止表示すると共に、そのときの遊技状態に応じた動画を表示することによって遊技の盛り上げ演出を行う。
【００１８】
（遊技盤４及びそれに関係する構造）
図２に示すように、遊技盤４は、アクリル樹脂等の透明合成樹脂板により正面視ほぼ方形に形成されると共に、前面には、内外のガイドレール１１、１１によって包囲される円形（楕円形を含む）の遊技領域４ａが形成される。上受皿部６に貯留された遊技球は、発射ハンドル８が回転操作されることにより、発射装置から発射されて、内外のガイドレール１１、１１により左斜め上方へ誘導されて、遊技領域４ａの左上部から遊技領域４ａ内に導入されて流下する。
【００１９】
遊技盤４の遊技領域４ａの略中央部には、遊技盤４の後側に設置される表示装置１０の表示画面１０１に表示される演出図柄（図示略）を視認し得るように開口する表示窓１２１を有すると共に、表面に各種模様が施された正面視で枠状の装飾枠１２が固定される。
なお、遊技盤４における表示窓１２１以外の一部の領域は、模様、彩色等が施された不透明の装飾板等が貼着されることにより、弾球遊技機１の内部構造が見えないように隠蔽される。
【００２０】
さらに、遊技領域４ａには、遊技領域４ａに打ち込まれた遊技球の流下方向を変化させる多数の釘（図示略）及び風車１３と、表示窓１２１の下方にあって、遊技領域４ａの左領域（装飾枠１２の左側の領域）を流下する遊技球のうち装飾枠１２の左部に設けられたワープ孔１２２に進入したワープ球（遊技球）を中央に向かって導入し、当該ワープ球を左右及び前後方向へ転動させ得るステージ１２３と、ステージ１２３の下方にあって、遊技領域４ａを流下する遊技球及びステージ１２３の前側から落下したワープ球が入賞可能な第１始動入賞口１４と、第１始動入賞口１４の周囲にあって、遊技球の入球（入賞）に応じた演出を行う演出通路ユニット１５と、右領域（装飾枠１２の右側の領域）にあって、遊技領域４ａの右領域を流下する右打ちされた遊技球（右打ち遊技球）が通過可能なスルーチャッカ１６と、スルーチャッカ１６の下方にあって、遊技領域４ａを流下する右打ち遊技球が入賞可能な第２始動入賞口１７と、第２始動入賞口１７の下方にあって、遊技状態が特定の遊技状態に移行した場合、右打ち遊技球が入賞可能な大入賞口１８と、第２始動入賞口１７及び大入賞口１８に入球した遊技球を所定の方向へ誘導する右側の第１螺旋誘導路５０及び左側の第２螺旋誘導路６０と、遊技領域４ａの左領域を流下する遊技球が入賞可能な一般入賞口１９と、遊技領域４ａの最下端部及び大入賞口１８の下方にあって、遊技領域４ａに打ち込まれた遊技球のうち第２始動入賞口１７、大入賞口１８に入賞（入球）しなかったアウト球（遊技球）を遊技盤４の裏面側に排出するアウト口２０とが設けられる。
【００２１】
右打ち遊技球は、装飾枠１２の上面及び右外周面に形成される右打ち通路１２４を通過して遊技領域４ａの右領域に導かれる。遊技領域４ａの右下領域に導出された右打ち遊技球は、スルーチャッカ１６、第２始動入賞口１７、大入賞口１８等に入賞（入球）可能となる。
【００２２】
なお、第１始動入賞口１４は、常時上向きに開口した遊技球入賞口であり、第２始動入賞口１７は、スルーチャッカ１６への遊技球の通過検出を契機（以下、通過を契機という）に制御装置により所定の確率で実行される抽選の結果、当選した場合に、右打ち遊技球が入球不能な閉鎖状態から入球可能な開放状態に変化可能な開閉部材１７１が側方に開放することにより、右打ち遊技球の入賞を可能にする。また、大入賞口１８は、遊技状態が特定の遊技状態に移行した場合、右打ち遊技球が入球不能な閉鎖状態から入球可能な開放状態に変化可能な開閉部材１８１が側方に開放することにより、右打ち遊技球の入賞を可能にする。
【００２３】
また、第１始動入賞口１４、第２始動入賞口１７、大入賞口１８の内部には、それぞれ遊技球の入賞を検知するための検知センサ（図示略）が設けられており、遊技球が各入賞口へ入球した後、入賞が検知されると、所定個数の遊技球が賞球として遊技者に払い出される。
【００２４】
初期の遊技状態の場合、上受皿部６に貯留されている遊技球が発射装置により発射され、遊技領域４ａに打ち込まれた遊技球が第１始動入賞口１４に入賞すると、これを契機に、弾球遊技機１の裏側に設けられる制御装置（図示略）により実行される抽選の結果、所定の変動パターンに基づいて、表示画面１０１に演出図柄を所定の演出態様で表示する視覚演出を所定時間行った後、演出図柄が特定の組み合わせで停止表示して確定表示した場合には、大当たり状態を生起させ、大入賞口１８の開閉部材１８１を側方に開放させる。
【００２５】
大入賞口１８は、遊技が大当たり状態となって開閉部材１８１が側方に開放し、大入賞口１８内に遊技球が１０個入賞するか、または開閉部材１８１が側方に開放してから３０秒が経過すると、開閉部材１８１は閉鎖する。また開放している最中、大入賞口１８内に設けた検知センサが、大入賞口１８内に入賞した遊技球のいずれかが特定領域の通過を検出した場合には、開閉部材１８１が閉鎖後に再度開放する。これを最大１５回まで繰返し可能に設定してある。これにより、大当たり状態のときには、開放状態にある大入賞口１８に多数の遊技球が入賞可能となり、弾球遊技機１の裏側に設けた賞球払出装置（図示略）から賞球として大量の遊技球が短時間に上受皿部６に払い出される。大入賞口１８に入球した遊技球は、第２始動入賞口１７と共に、後述のように誘導され、第１螺旋誘導路５０又は第２螺旋誘導路６０に誘導されて遊技盤４の後側に排出される。
【００２６】
次に、本発明に係る演出通路ユニット１５の要部を形成する第１螺旋誘導路５０について説明する。
なお、図３は、演出通路ユニット１５の内部構造の要部を明示した状態で示している。
【００２７】
図２及び図３に示すように、演出通路ユニット１５は、アクリル樹脂等の透明合成樹脂材により形成されると共に、第２始動入賞口１７に入賞した遊技球を分岐路２１まで誘導する第２始動入賞口誘導路１７２と、大入賞口１８に入賞した遊技球を分岐路２１まで誘導する大入賞口誘導路１８２と、分岐路２１の下側に連続し、第２始動入賞口誘導路１７２又は大入賞口誘導路１８２に誘導された遊技球を下方へ向けて誘導する螺旋状の第１螺旋誘導路５０と、分岐路２１の左側に連続し、第２始動入賞口誘導路１７２又は大入賞口誘導路１８２に誘導された遊技球を左方へ向けて誘導する横向き誘導路２２と、横向き誘導路２２の左端部に連続し、横向き誘導路２２に誘導された遊技球を下方へ向けて誘導する第２螺旋誘導路６０と、分岐路２１を開閉することによって、第２始動入賞口誘導路１７２及び大入賞口誘導路１８２に誘導された遊技球を第１螺旋誘導路５０又は第２螺旋誘導路６０のいずれか一方へ振り分ける振分装置２３とを備える。
【００２８】
第１螺旋誘導路５０は、螺旋形状を呈して、誘導する遊技球を遊技者が視認しやすいように、透明合成樹脂材により図６に示すように縦断面形状で上側が開口する樋状に形成され、遊技領域４ａの右下側、つまり第２始動入賞口１７及び大入賞口１８の下側、かつステージ１２３及び第１始動入賞口１４の右側であって、遊技盤４とガラス板５ａとの間に配置され、分岐路２１により振り分けられた遊技球を、螺旋状に下方に向けて誘導することにより、転動する遊技球を視認可能とする。
【００２９】
図４及び図５に示すように、第１螺旋誘導路５０は、分岐路２１で振り分けられた遊技球を導入する入球口５１と、転動してきた遊技球を遊技盤４の裏面側に排出する排出口５２と、第１螺旋誘導路５０内を転動する遊技球の転動速度を減速させる減速部である複数の突条部５３とを備えている。
【００３０】
図５及び図６に示すように、第１螺旋誘導路５０は、螺旋の中心側にある内側面５０ａ及び外側にある外側面５０ｂと、両側面５０ａ、５０ｂの下部同士を連結する底面５０ｃとを有して樋状として、第１螺旋誘導路５０の上部に蓋部等を設けていない形状とすることで、転動する遊技球を視認可能としている。
【００３１】
突条部５３は、遊技者から視認し難い位置である、後側、つまり第１螺旋誘導路５０における後半分の外側面５０ｂに、等間隔に複数個（本実施形態では、３個）設けられている。これにより、遊技者から視認し易い位置である、前側、つまり第１螺旋誘導路５０における前半分で遊技球の減速態様を目視させず、遊技者から視認し難い位置である後側で、遊技球の転動速度を減速させることが出来ることで、遊技者から見て遊技球が滑らかに転動するように見えるとともに、螺旋状の第１螺旋誘導路５０を遊技球が転動するときの遠心力で外側面５０ｂから飛び出ることを防止することができる。
また、突条部５３は、平面視が半円柱状で、下部が底面５０ｃまで延伸した形態を呈する。
なお、突条部５３は、第１螺旋誘導路５０の外側面５０ｂに一体形成されることで、製造工程を減らすことができる。
【００３２】
図６に示すように、第１螺旋誘導路５０は、内側面５０ａと外側面５０ｂとの間隔Ｗ１を遊技球の直径より大とし、内側面５０ａと突条部５３の先端部５３ａとの間隔Ｗ２を遊技球の直径よりわずかに大となるように形成される。これにより、第１螺旋誘導路５０を転動する遊技球が第１螺旋誘導路５０の途中に滞留することなく、遊技球を円滑に減速させることができる。
【００３３】
第１螺旋誘導路５０における排出口５２手前の外側面５０ｂの上端には、外方へ延伸する庇状の落下防止庇部５４が設けられる。通常、第１螺旋誘導路５０を転動する遊技球は、突条部５３により減速されるものの、上流から下流側へ向かって転動することで転動速度が漸増するため、下流側に行くにしたがって外側面５０ｂを乗り越える可能性が大になるものの、このように、落下防止庇部５４を設けることによって、遊技球が外側面５０ｂから乗り越えることを、より確実に防止することができる。
【００３４】
図２及び図３に示すように、振分装置２３は、ソレノイド２３ａと、ソレノイド２３ａの駆動により、分岐路２１を開閉可能な振分板２３ｂとを有し、振分板２３ｂが分岐路２１を開放することで、第２始動入賞口１７及び大入賞口１８に入球した遊技球を第１螺旋誘導路５０に誘導し、また、振分板２３ｂが分岐路２１を閉鎖することで、第２始動入賞口１７及び大入賞口１８に入球した遊技球を横向き誘導路２２を介して第２螺旋誘導路６０に誘導する。
なお、振分板２３ｂが分岐路２１を開放するか、閉鎖するかは、遊技中の所定の抽選によって決定される。
【００３５】
第２螺旋誘導路６０は、ステージ１２３及び第１始動入賞口１４の左側にあって、横向き誘導路２２に誘導された遊技球を、螺旋状に下方に向けて誘導する。
なお、第２螺旋誘導路６０は、第１螺旋誘導路５０よりも螺旋の巻き数が少ないだけで（第１螺旋誘導路５０は螺旋の巻き数が３条であるのに対し、第２螺旋誘導路６０は螺旋の巻き数が２条）、基本形状は第１螺旋誘導路５０と略同一であるので、詳細説明は省略する。
また、第１螺旋誘導路５０及び第２螺旋誘導路６０の巻き方向は、いずれの方向であってもよいとする。
【００３６】
分岐路２１により第１螺旋誘導路５０側に振り分けられた遊技球は、入球口５１から第１螺旋誘導路５０に導入され、螺旋経路に沿って下方へ転動する。この場合、遊技球は、遠心力によって外側面５０ｂに接触しつつ螺旋状に下方へ転動すると共に、遊技者から視認し難い第１螺旋誘導路５０の後半分の外側面５０ｂに設けた複数の突条部５３に順次接触することで、転動速度が減速し、最終的に排出口５２を通過して遊技盤４の裏側に排出される。
これにより、遊技球の減速が遊技者から視認し難い第１螺旋誘導路５０の後半分で行われるため、遊技球の減速を円滑に行うことができる。
【００３７】
以上、本発明の実施形態について説明したが、本発明の趣旨を逸脱しない範囲内で、本実施形態に対して、次のような変形や変更を施すことが可能である。
（ａ）落下防止庇部５４を、第１螺旋誘導路５０の本実施形態の下流部分よりも上流側、または第１螺旋誘導路５０の全域に設ける。
（ｂ）減速部である突条部５３を、耐久性を高めるため及び円滑な転動を可能にするため、接触部分が丸みを帯びている形状とする。
【符号の説明】
【００３８】
１  弾球遊技機
２  外枠
３  内枠
４  遊技盤
４ａ  遊技領域
５  ガラス枠
５ａ  ガラス板
６  上受皿部
７  下受皿部
８  発射ハンドル
９Ｌ、９Ｒ  スピーカ
１０  表示装置
１１  ガイドレール
１２  装飾枠
１３  風車
１４  第１始動入賞口
１５  演出通路ユニット
１６  スルーチャッカ
１７  第２始動入賞口
１８  大入賞口
１９  一般入賞口
２０  アウト口
２１  分岐路
２２  横向き誘導路
２３  振分装置
２３ａ  ソレノイド
２３ｂ  振分板
５０  第１螺旋誘導路
５０ａ  内側面
５０ｂ  外側面
５０ｃ  底面
５１  入球口
５２  排出口
５３  突条部（減速部）
５３ａ  先端部
５４  落下防止庇部
６０  第２螺旋誘導路
１０１  表示画面
１２１  表示窓
１２２  ワープ孔
１２３  ステージ
１２４  右打ち通路
１７１  開閉部材
１７２  第２始動入賞口誘導路
１８１  開閉部材
１８２  大入賞口誘導路
Ｗ１、Ｗ２  間隔
【図１】
2015181923.tif 000003
【図２】
2015181923.tif 000004
【図３】
2015181923.tif 000005
【図４】
2015181923.tif 000006
【図５】
2015181923.tif 000007
【図６】
2015181923.tif 000008